【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
植物の特徴を向上させる方法であって、前記方法は、
（ａ）未処理植物と比較して前記植物のバイオマスをより多く生産するのに効果的な量で；
（ｂ）未処理植物と比較して前記植物の乾燥耐性を高めるのに効果的な量で；
（ｃ）未処理植物と比較して前記植物のリグニン濃度を低下させるのに効果的な量で；
（ｄ）未処理植物と比較して前記植物の鉄濃度を上昇させるのに効果的な量で；
（ｅ）未処理植物と比較して病原真菌による前記植物の感染を阻害するのに効果的な量で；
（ｆ）種子の発芽率を上昇させるのに効果的な量で；そして／または
（ｇ）植物病原体に対する耐性を向上させるのに効果的な量で、
バチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
【請求項２】
前記バチルス・スブチリス（Ｂａｃｉｌｌｕｓ  ｓｕｂｔｉｌｉｓ）ＦＢ１７を前記植物の前記種子に投与することを含む、請求項１に記載の方法。
【請求項３】
前記植物はバイオエネルギー作物植物である、請求項１に記載の方法。
【請求項４】
前記植物はセイヨウヤマカモジ（Ｂｒａｃｈｙｐｏｄｉｕｍ  ｄｉｓｔａｃｈｙｏｎ）である、請求項３に記載の方法。
【請求項５】
未処理植物と比較して前記植物のバイオマスを約５％〜約１００％多く生産するのに効果的な量で前記バチルス・スブチリス（Ｂａｃｉｌｌｕｓ  ｓｕｂｔｉｌｉｓ）ＦＢ１７を投与することを含む、請求項１（ａ）に記載の方法。
【請求項６】
前記植物はトウモロコシ植物、ダイズ植物、米植物、トマト植物、ジニア植物（Ｚｉｎｎｉａ  ｐｌａｎｔ）およびオオムギからなる群から選択される、請求項１に記載の方法。
【請求項７】
バイオ燃料を生産する方法であって、バチルス・スブチリス（Ｂａｃｉｌｌｕｓ  ｓｕｂｔｉｌｉｓ）ＦＢ１７が投与された請求項１（ｃ）に記載の植物のバイオマスを前記バイオ燃料に変換することを含む方法。
【請求項８】
請求項７に従い生産されたバイオ燃料。
【請求項９】
未処理米植物と比較して前記米植物の鉄濃度を少なくとも約２５％上昇させるのに効果的な量で前記バチルス・スブチリス（Ｂａｃｉｌｌｕｓ  ｓｕｂｔｉｌｉｓ）ＦＢ１７を投与することを含む、請求項１（ｄ）に記載の方法。
【請求項１０】
前記植物は米植物であり、前記病原真菌はイネいもち病である、請求項１（ｅ）に記載の方法。
【請求項１１】
播く前に前記バチルス・スブチリス（Ｂａｃｉｌｌｕｓ  ｓｕｂｔｉｌｉｓ）ＦＢ１７を前記米植物の前記種子に投与することを含む、請求項９または１０に記載の方法。
【請求項１２】
約１×１０６ＣＦＵ／種子〜約１×１０８ＣＦＵ／種子の量で前記バチルス・スブチリス（Ｂａｃｉｌｌｕｓ  ｓｕｂｔｉｌｉｓ）ＦＢ１７を前記米植物の前記種子に投与することを含む、請求項１または１１に記載の方法。
【請求項１３】
前記イネいもち病の症状は未処理植物と比較して約５％〜約１００％軽減される、請求項１０に記載の方法。
【請求項１４】
バチルス・スブチリス（Ｂａｃｉｌｌｕｓ  ｓｕｂｔｉｌｉｓ）ＦＢ１７を含む農業用担体。
【請求項１５】
バチルス・スブチリス（Ｂａｃｉｌｌｕｓ  ｓｕｂｔｉｌｉｓ）ＦＢ１７を含む植物種子コーティング。
【請求項１６】
請求項１５に記載のコーティングを含む植物の種子。
【手続補正２】
【補正対象書類名】明細書
【補正対象項目名】００１５
【補正方法】変更
【補正の内容】
【００１５】
追加の実施形態は、バチルス・スブチリス（Ｂａｃｉｌｌｕｓ  ｓｕｂｔｉｌｉｓ）ＦＢ１７を含む農業用担体および種子コーティングを提供する。バチルス・スブチリス（Ｂａｃｉｌｌｕｓ  ｓｕｂｔｉｌｉｓ）ＦＢ１７を投与した植物のバイオマスはバイオ燃料に変換することができ、生産された作物は、ヒトもしくは動物の食糧（ｆｏｏｄｓｔｏｃｋ）、または他の目的に安全に使用することができる。
本発明は、例えば以下の項目を提供する。
（項目１）
植物のバイオマスをより多く生産する方法であって、未処理植物と比較して前記植物のバイオマスをより多く生産するのに効果的な量でバチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
（項目２）
前記バチルス・スブチリス（Ｂａｃｉｌｌｕｓ  ｓｕｂｔｉｌｉｓ）ＦＢ１７を前記植物の前記種子に投与することを含む、項目１に記載の方法。
（項目３）
前記植物はトウモロコシ植物、ダイズ植物、米植物、およびトマト植物からなる群から選択される、項目１に記載の方法。
（項目４）
前記植物はバイオエネルギー作物植物である、項目１に記載の方法。
（項目５）
前記植物はセイヨウヤマカモジ（Ｂｒａｃｈｙｐｏｄｉｕｍ  ｄｉｓｔａｃｈｙｏｎ）である、項目４に記載の方法。
（項目６）
未処理植物と比較して前記植物のバイオマスを約５％〜約１００％多く生産するのに効果的な量で前記バチルス・スブチリス（Ｂａｃｉｌｌｕｓ  ｓｕｂｔｉｌｉｓ）ＦＢ１７を投与することを含む、項目１に記載の方法。
（項目７）
約１×１０６ＣＦＵ／種子〜約１×１０８ＣＦＵ／種子の量で前記バチルス・スブチリス（Ｂａｃｉｌｌｕｓ  ｓｕｂｔｉｌｉｓ）ＦＢ１７を前記種子に投与することを含む、項目２に記載の方法。
（項目８）
植物の乾燥耐性を高める方法であって、未処理植物と比較して前記植物の乾燥耐性を高めるのに効果的な量でバチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
（項目９）
前記バチルス・スブチリス（Ｂａｃｉｌｌｕｓ  ｓｕｂｔｉｌｉｓ）ＦＢ１７を前記植物の前記種子に投与することを含む、項目８に記載の方法。
（項目１０）
前記植物はトウモロコシ植物、ダイズ植物、米植物、およびトマト植物からなる群から選択される、項目８に記載の方法
（項目１１）
植物のリグニン濃度を低下させる方法であって、未処理植物と比較して前記植物のリグニン濃度を低下させるのに効果的な量でバチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
（項目１２）
前記バチルス・スブチリス（Ｂａｃｉｌｌｕｓ  ｓｕｂｔｉｌｉｓ）ＦＢ１７を前記植物の前記種子に投与することを含む、項目１１に記載の方法。
（項目１３）
前記植物はトウモロコシ植物、ダイズ植物、米植物、およびトマト植物からなる群から選択される、項目１１に記載の方法。
（項目１４）
約１×１０６ＣＦＵ／種子〜約１×１０８ＣＦＵ／種子の量で前記バチルス・スブチリス（Ｂａｃｉｌｌｕｓ  ｓｕｂｔｉｌｉｓ）ＦＢ１７を前記種子に投与することを含む、項目１２に記載の方法。
（項目１５）
バイオ燃料を生産する方法であって、バチルス・スブチリス（Ｂａｃｉｌｌｕｓ  ｓｕｂｔｉｌｉｓ）ＦＢ１７が投与された項目１１に記載の植物のバイオマスを前記バイオ燃料に変換することを含む方法。
（項目１６）
項目１５に従い生産されたバイオ燃料。
（項目１７）
植物の鉄濃度を上昇させる方法であって、未処理植物と比較して前記植物の鉄濃度を上昇させるのに効果的な量でバチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
（項目１８）
前記植物は米植物である、項目１７に記載の方法。
（項目１９）
播く前に前記バチルス・スブチリス（Ｂａｃｉｌｌｕｓ  ｓｕｂｔｉｌｉｓ）ＦＢ１７を前記米植物の前記種子に投与することを含む、項目１８に記載の方法。
（項目２０）
未処理米植物と比較して前記米植物の鉄濃度を少なくとも約２５％上昇させるのに効果的な量で前記バチルス・スブチリス（Ｂａｃｉｌｌｕｓ  ｓｕｂｔｉｌｉｓ）ＦＢ１７を投与することを含む、項目１８に記載の方法。
（項目２１）
約１×１０６ＣＦＵ／種子〜約１×１０８ＣＦＵ／種子の量で前記バチルス・スブチリス（Ｂａｃｉｌｌｕｓ  ｓｕｂｔｉｌｉｓ）ＦＢ１７を前記種子に投与することを含む、項目１９に記載の方法。
（項目２２）
病原真菌による植物の感染を阻害する方法であって、未処理植物と比較して前記病原真菌による前記植物の感染を阻害する量でバチルス・スブチリス（Ｂａｃｉｌｌｕｓ  ｓｕｂｔｉｌｉｓ）ＦＢ１７を前記植物、前記植物の種子、または前記植物もしくは前記種子の周囲の土壌に投与することを含む方法。
（項目２３）
前記植物は米植物であり、前記病原真菌はイネいもち病である、項目２２に記載の方法。
（項目２４）
播く前に前記バチルス・スブチリス（Ｂａｃｉｌｌｕｓ  ｓｕｂｔｉｌｉｓ）ＦＢ１７を前記米植物の前記種子に投与することを含む、項目２３に記載の方法。
（項目２５）
約１×１０６ＣＦＵ／種子〜約１×１０８ＣＦＵ／種子の量で前記バチルス・スブチリス（Ｂａｃｉｌｌｕｓ  ｓｕｂｔｉｌｉｓ）ＦＢ１７を前記米植物の前記種子に投与することを含む、項目２４に記載の方法。
（項目２６）
前記イネいもち病の症状は未処理植物と比較して約５％〜約１００％軽減される、項目２３に記載の方法。
（項目２７）
バチルス・スブチリス（Ｂａｃｉｌｌｕｓ  ｓｕｂｔｉｌｉｓ）ＦＢ１７を含む農業用担体。
（項目２８）
バチルス・スブチリス（Ｂａｃｉｌｌｕｓ  ｓｕｂｔｉｌｉｓ）ＦＢ１７を含む植物種子コーティング。
（項目２９）
項目２８に記載のコーティングを含む植物の種子。